(57)【要約】  送風機が収納され、吸込口が形成された送風機ユニット筐体を有する送風機ユニットと、室内熱交換器が収容され、吹出口が形成され、送風機ユニット筐体に連結される熱交換器ユニット筐体を有する熱交換器ユニットと、を備え、送風機は、回転するファンと、ファンを駆動する電動機と、空気を内部に取り込む空気流入部及び空気を吹き出す空気流出部が形成され、ファン及び電動機が搭載されているケーシングとを有し、送風機ユニット筐体には、熱交換器ユニット筐体との連結位置に、熱交換器ユニット筐体に連通する開口部が形成され、開口部が形成された第１の側面に直交する第２の側面と第２の側面に対向する第３の側面とにそれぞれ設けられた第１のレール部と、送風機のケーシングの空気流出部に固定され、第１のレール部上を移動自在に設けられたスライド部材とが設けられているものである。  上記の構成により、空気の吹き出し方向を変更するため、送風機の向きを変更する際の作業負担が増大してしまうことを抑制することができる。
2016075817.tif 000002
【特許請求の範囲】
【請求項１】
送風機が収納され、吸込口が形成された送風機ユニット筐体を有する送風機ユニットと、  室内熱交換器が収容され、吹出口が形成され、前記送風機ユニット筐体に連結される熱交換器ユニット筐体を有する熱交換器ユニットと、  を備え、  前記送風機は、  回転するファンと、  前記ファンを駆動する電動機と、  空気を内部に取り込む空気流入部及び空気を吹き出す空気流出部が形成され、前記ファン及び前記電動機が搭載されているケーシングとを有し、  前記送風機ユニット筐体には、  前記熱交換器ユニット筐体との連結位置に、前記熱交換器ユニット筐体に連通する開口部が形成され、  前記開口部が形成された第１の側面に直交する第２の側面及び第３の側面にそれぞれ設けられた第１のレール部と、  前記送風機の前記ケーシングの前記空気流出部に固定され、前記第１のレール部上を移動自在に設けられたスライド部材とが設けられている  空気調和装置の室内機。
【請求項２】
前記第１のレール部は、  奥側に向かうにつれて前記第１の側面との対向間隔が小さくなるように傾斜して設けられている  請求項１に記載の空気調和装置の室内機。
【請求項３】
前記送風機ユニット筐体は、  前記１の側面、前記第２の側面及び第３の側面に直交し、前記送風機の着脱方向における奥側に位置する第４の面に設けられた第２のレール部を有し、  前記第２のレール部は、  前記第１のレール部の傾斜よりも大きくなるように、奥側に向かうにつれて前記第１の側面との対向間隔が小さくなるように傾斜して設けられている  請求項２に記載の空気調和装置の室内機。
【請求項４】
前記送風機ユニット筐体は、  前記スライド部材が前記送風機ユニット筐体内に取り付けられている状態において、  前記スライド部材が前記第２のレール部の奥側部分と前記第１の側面との間に挟まれて嵌まり込むように構成されている  請求項３に記載の空気調和装置の室内機。
【請求項５】
前記第２のレール部は、  前記第１のレール部及び前記第２のレール部を、前記第２の側面及び前記第３の側面に垂直な方向から見たときに、  前記第１のレール部と交差するように配置されている  請求項３又は４に記載の空気調和装置の室内機。
【請求項６】
前記第２のレール部は、  一方の前記第１のレール部側から他方の前記第１のレール部側に延びるように設けられている  請求項３〜５のいずれか一項に記載の空気調和装置の室内機。
【請求項７】
前記第１のレール部は、  手前側の端部に、前記スライド部材の落下防止用のツメ部が設けられている  請求項１〜６のいずれか一項に記載の空気調和装置の室内機。
【請求項８】
前記室内熱交換器は、  第１の熱交換器及び第２の熱交換器から構成され、  前記第１の熱交換器及び前記第２の熱交換器は、  一方側の端部が寄せられ、他方側の端部を離されて配置されている  請求項１〜７のいずれか一項に記載の空気調和装置の室内機。
【発明の詳細な説明】
【技術分野】
【０００１】  本発明は、空気調和装置の室内機に関し、特に、空気調和装置の室内機に搭載される送風機の着脱構造に関するものである。
【背景技術】
【０００２】  空気調和装置の室内機には、シロッコファンが搭載される送風機ユニット及び室内熱交換器が搭載される熱交換器ユニットを有するものが提案されている（たとえば、特許文献１参照）。【０００３】  特許文献１に記載の空気調和装置の室内機では、シロッコファンが搭載されているため、室内機の吹出口から吹き出される空気の方向が、この吹出口の形成面に垂直な方向ではなく、この吹出口の形成面に対して傾斜する方向となっている。このように、シロッコファンを有する室内機では、室内機の上下左右の姿勢を変えることで、上向き、右向き、左向き及び下向きといったように空気の吹き出し方向を変えることができる。
【先行技術文献】
【特許文献】
【０００４】
【特許文献１】特開２００９−４１８３６号公報
【発明の概要】
【発明が解決しようとする課題】
【０００５】  特許文献１に記載の空気調和装置の室内機では、送風機ユニットに搭載されている送風機が、送風機ユニットの筐体にたとえばネジなどで固定されている。このため、室内機から吹き出される空気の方向を変えるにあたって、送風機ユニットの筐体ごと姿勢を変える必要がある。ここで、特許文献１に記載の空気調和装置の室内機は、たとえば天井埋め込まれて固定される。したがって、サービスマンは、天井内に固定されている送風機ユニット及び熱交換器ユニットの固定を外し、さらに、送風機ユニット及び熱交換器ユニットの姿勢を変える作業を要する。【０００６】  また、室内機から吹き出される空気の方向を変える手段としては、送風機ユニット内の送風機のネジ固定を外し、送風機だけの姿勢を変える手段もある。しかし、送風機自体はそれなりの重量を有しているため、送風機の姿勢を変える際のサービスマンの作業の負担が増大するという課題がある。【０００７】  本発明は、これらの課題を解決するためになされたもので、空気の吹き出し方向を変更するため、送風機の向きを変更する際の作業負担が増大してしまうことを抑制することができる空気調和装置の室内機を提供することを目的としている。
【課題を解決するための手段】
【０００８】  本発明に係る空気調和装置の室内機は、送風機が収納され、吸込口が形成された送風機ユニット筐体を有する送風機ユニットと、室内熱交換器が収容され、吹出口が形成され、送風機ユニット筐体に連結される熱交換器ユニット筐体を有する熱交換器ユニットと、を備え、送風機は、回転するファンと、ファンを駆動する電動機と、空気を内部に取り込む空気流入部及び空気を吹き出す空気流出部が形成され、ファン及び電動機が搭載されているケーシングとを有し、送風機ユニット筐体には、熱交換器ユニット筐体との連結位置に、熱交換器ユニット筐体に連通する開口部が形成され、開口部が形成された第１の側面に直交する第２の側面と第２の側面に対向する第３の側面とにそれぞれ設けられた第１のレール部と、送風機のケーシングの空気流出部に固定され、第１のレール部上を移動自在に設けられたスライド部材とが設けられているものである。
【発明の効果】
【０００９】  本発明に係る空気調和装置の室内機によれば、上記構成を有しているので、空気の吹き出し方向を変更するため、送風機の向きを変更する際の作業負担が増大してしまうことを抑制することができる。
【図面の簡単な説明】
【００１０】
【図１】本発明の実施の形態に係る空気調和装置の室内機１の斜視図である。
【図２】図１に示す室内機１を上側吹き出しとなるように設置した状態の室内機１の縦断面図である。
【図３】図２に示す室内機１のＡ−Ａ断面の矢視図である。
【図４】図３に示す送風機ユニット１００について模式的に示した図である。
【図５】図４に示す送風機ユニット１００の送風機ユニット筐体１００Ａの斜視図である。
【図６】送風機ユニット１００に搭載される送風機４１及び送風機４１に固定されるスライド部材７０の説明図である。
【図７】本発明の実施の形態に係る空気調和装置の室内機１の第１のレール部５０に形成されたツメ部５２の説明図である。
【図８】スライド部材７０の動作説明図である。
【図９】本発明の実施の形態に係る空気調和装置の室内機１に搭載された室内熱交換器２１及び送風機４１の位置関係についての説明図である。
【図１０】室内熱交換器２１及び送風機４１の位置関係についての４つのパターンの説明図である。
【図１１】本発明の実施の形態２に係る空気調和装置の室内機１の斜視図である。
【図１２】図１１に示す室内機１の縦断面図である。
【図１３】本発明の実施の形態３に係る空気調和装置の室内機１の斜視図である。
【図１４】図１３に示す室内機１の縦断面図である。
【図１５】本発明の実施の形態４に係る空気調和装置の室内機１の斜視図である。
【図１６】図１５に示す室内機１の縦断面図である。
【図１７】図１６に示す室内機１のＢ−Ｂ断面の矢視図である。
【発明を実施するための形態】
【００１１】  以下、本発明に係る空気調和装置の室内機の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１２】実施の形態．   図１は、本実施の形態に係る空気調和装置の室内機１の斜視図である。図２は、図１に示す室内機１を上側吹き出しとなるように設置した状態の室内機１の縦断面図である。図３は、図２に示す室内機１のＡ−Ａ断面の矢視図である。図１〜図３を参照して、室内機１の構成などについて説明する。
【００１３】［構成説明］  室内機１は、室内機１内に空気を取り込んだ後に室内機１外に空気を放出する送風機４１が設けられた送風機ユニット１００と、蒸発器や凝縮器として機能する室内熱交換器２１が設けられた熱交換器ユニット２００とを有している。なお、図１〜図３では、室内機１の熱交換器ユニット２００と送風機ユニット１００とが連結されている状態を図示しているが、熱交換器ユニット２００と送風機ユニット１００とは、分離することができるようになっている。室内機１は、たとえば、天井裏に設置される。
【００１４】  室内機１は、外郭としてのパネル１１、パネル１２、パネル１３及びパネル１４を有している。パネル１１及びパネル１２は、熱交換器ユニット筐体２００Ａに設けられている。パネル１３及びパネル１４は、送風機ユニット筐体１００Ａに設けられている。なお、パネル１３を外すことで、送風機ユニット筐体１００Ａが開放されて送風機４１を搬入、搬出をすることができる。また、パネル１４を外すことで、フィルター１２０（図１５参照）を送風機ユニット筐体１００Ａに取り付けることができる。
【００１５】  室内機１は、外郭としてのパネル１６及びパネル１７を有している。パネル１６及びパネル１７は、送風機ユニット筐体１００Ａ及び熱交換器ユニット筐体２００Ａの両方に設けられている。パネル１６の内側面及びパネル１７の内側面は、後述する第２の側面ＳＵ２及び第３の側面ＳＵ３に対応している。
【００１６】（送風機ユニット１００）  送風機ユニット１００は、送風機ユニット１００の外郭である送風機ユニット筐体１００Ａと、送風機ユニット筐体１００Ａ内に設けられた送風機４１とを有しており、送風機ユニット筐体１００Ａ内に空気を取り込んだ後に熱交換器ユニット２００に供給するものである。送風機ユニット１００は、送風機ユニット１００に着脱自在に構成されている。
【００１７】  送風機ユニット筐体１００Ａは、送風機４１が収納され、吸込口６１が形成された箱状部材である。送風機ユニット筐体１００Ａは、後述する熱交換器ユニット２００の熱交換器ユニット筐体２００Ａに連通する開口部６０が形成されている。送風機ユニット筐体１００Ａは、この開口部６０の形成面で熱交換器ユニット筐体２００Ａに連結している。より詳しくは、図４−図７で送風機ユニット１００の構成などを説明する。
【００１８】（熱交換器ユニット２００）  熱交換器ユニット２００は、送風機ユニット１００から空気が供給されるように送風機ユニット１００と連結している。熱交換器ユニット２００は、外郭として、略直方体であってそのうちの対向する２面が開放された熱交換器ユニット筐体２００Ａを有している。  また、熱交換器ユニット２００は、送風機ユニット１００から供給される空気と図示省略の室外機から供給された冷媒とを熱交換させる室内熱交換器２１が搭載されている。熱交換器ユニット２００には、室内熱交換器２１で生成された結露水（ドレン水）を貯留するドレンパン３１も搭載されている。
【００１９】  熱交換器ユニット筐体２００Ａは、送風機ユニット筐体１００Ａの開口部６０側に位置する第１の開口部（図示省略）と、この開口部とは反対側に形成された第２の開口部である吹出口６２とが形成されている。
【００２０】  室内熱交換器２１は、熱交換器ユニット筐体２００Ａ内に取り込まれた空気と、図示省略の室外機から供給される冷媒とを熱交換させるものであり、たとえば、複数平行に立設されたフィンと、当該フィンに接続され、冷媒が供給されるチューブとを有するフィンチューブ熱交換器などで構成するとよい。室内熱交換器２１の下方には、ドレンパン３１が配置されている。
【００２１】  室内熱交換器２１は、たとえば、第１の熱交換器２１ａ及び第２の熱交換器２１ｂから構成される。第１の熱交換器２１ａ及び第２の熱交換器２１ｂは、一方側の端部が寄せられ、他方側の端部を離されて配置されている。すなわち、第１の熱交換器２１ａの一方側の端部と第２の熱交換器２１ｂの一方側の端部は、熱交換器ユニット筐体２００Ａの幅方向の中央部に寄せるように配置されている。また、第１の熱交換器２１ａの他方側の端部は、熱交換器ユニット筐体２００Ａの内側面に寄せられ、第２の熱交換器２１ｂの他方側の端部は、その内側面に対向する内側面に寄せられている。したがって、室内熱交換器２１は、その断面形状がＡ字状になっている。
【００２２】  ドレンパン３１は、室内熱交換器２１から滴下するドレン水を貯留するものであり、たとえば、樹脂などを所定の形状に形成して構成されるものである。本実施の形態では、室内機１を上側吹き出しとなるように設置した態様となっている。このため、ドレンパン３１は、熱交換器ユニット筐体２００Ａの側面のうちの送風機ユニット筐体１００Ａと連結する側面に配置されている。なお、ドレンパン３１は、送風機ユニット筐体１００Ａから熱交換器ユニット筐体２００Ａ内に空気が流入するように、開口部６０に連通する熱交換器ユニット筐体２００Ａの第１の開口部（図示省略）を塞がないように配置されている。
【００２３】  熱交換器ユニット２００には、電気品箱８０が設けられている。電気品箱８０は、パネル１１を開放することで露出する。電気品箱８０には、送風機４１の回転数などを制御する制御装置８１が設けられている。制御装置８１は、電気的に送風機４１の電動機４１Ｂに接続されている。
【００２４】［送風機４１の着脱構造について］  図４は、図３に示す送風機ユニット１００について模式的に示した図である。図５は、図４に示す送風機ユニット１００の送風機ユニット筐体１００Ａの斜視図である。なお、図５では、パネル１３については取り外しており、送風機ユニット筐体１００Ａの内部構造についても見えている。図６は、送風機ユニット１００に搭載される送風機４１及び送風機４１に固定されるスライド部材７０の説明図である。図６（ａ）はスライド部材７０の正面側から送風機４１及びスライド部材７０を見た図であり、図６（ｂ）はスライド部材７０の側面側から送風機４１及びスライド部材７０を見た図である。図４〜図６を参照して送風機４１、送風機ユニット筐体１００Ａ及びスライド部材７０などについて説明する。
【００２５】  なお、図４に示す矢印Ｄ１は、スライド部材７０及びスライド部材７０が固定された送風機４１のスライド方向（着脱方向）を示している。このため、手前側とは、パネル１３側を指し、奥側とは後述する第４の側面ＳＵ４側を指す。また、図４に示す矢印Ｄ２は、送風機４１から吹き出された空気の流れを示している。さらに、図４に示す矢印Ｄ３は、吸込口６１を介して送風機ユニット筐体１００Ａ内に取り込まれる空気の流れを示している。
【００２６】（送風機４１）  送風機４１は、シロッコファンで構成されるものである。送風機４１は、回転するファン４１Ａと、ファン４１Ａを駆動する電動機４１Ｂとを有している。また、送風機４１は、空気を内部に取り込む空気流入部４１Ｃ１及び空気を吹き出す空気流出部４１Ｃ２が形成され、ファン４１Ａ及び電動機４１Ｂが搭載されているケーシング４１Ｃを有している。なお、電動機４１Ｂは、電気品箱８０内に設けられた制御装置８１などに接続されている。送風機４１は、ファン４１Ａが電動機４１Ｂによって回転させられると、空気流入部４１Ｃ１を介してケーシング４１Ｃ内に空気が取り込まれ、ケーシング４１Ｃ内の空気が空気流出部４１Ｃ２から放出される。
【００２７】  ケーシング４１Ｃは、図４の矢印Ｄ２に示すように、空気流出部４１Ｃ２から吹き出される空気がまっすぐ吹き出されるのではなく、一方側に寄るように吹き出される。これは、送風機４１をシロッコファンで構成したためである。
【００２８】（送風機ユニット筐体１００Ａ）  送風機ユニット筐体１００Ａは、熱交換器ユニット筐体２００Ａとの連結位置に、熱交換器ユニット筐体２００Ａに連通する開口部６０が形成されている。そして、送風機ユニット筐体１００Ａは、開口部６０が形成された第１の側面ＳＵ１に直交する第２の側面ＳＵ２に第１のレール部５０が設けられるとともに、第２の側面ＳＵ２に対向する第３の側面ＳＵ３に第１のレール部５０が設けられている。また、送風機ユニット筐体１００Ａは、送風機４１のケーシング４１Ｃの空気流出部４１Ｃ２に固定され、第１のレール部５０上を移動自在に設けられたスライド部材７０が設けられている。
【００２９】  第１のレール部５０は、奥側に向かうにつれて第１の側面ＳＵ１との対向間隔が小さくなるように傾斜して設けられているレール部本体５１と、レール部本体５１の端部に形成されたツメ部５２とを有している。ここで、送風機ユニット筐体１００Ａの側面のうち、パネル１３の対向位置の側面を第４の側面ＳＵ４と称する。つまり、第４の側面ＳＵ４は、第１の側面ＳＵ１、第２の側面ＳＵ２及び第３の側面ＳＵ３に直交し、送風機４１の着脱方向における奥側に位置している。
【００３０】  レール部本体５１は、パネル１３の内側面側から第４の側面ＳＵ４側にかけて延びるように設けられている。レール部本体５１が設けられていることで、サービスマンは、送風機４１を送風機ユニット筐体１００Ａに着脱するときに、送風機４１に固定されたスライド部材７０をレール部本体５１上に乗せ、スライド部材７０をスライド移動させることで、送風機４１をスライド移動させることができる。このため、室内機１では、送風機４１を送風機ユニット筐体１００Ａに着脱する際のサービスマンの作業負担を抑制することができる。
【００３１】  送風機ユニット筐体１００Ａは、第４の側面ＳＵ４に設けられた第２のレール部５５を有している。上述した第１のレール部５０と第２のレール部５５とは、別体で構成されている。また、第２のレール部５５は、第２の側面ＳＵ２に設けられた第１のレール部５０側から第３の側面ＳＵ３に設けられた第２のレール部５５側に延びるように設けられている。
【００３２】  第２のレール部５５は、第１のレール部５０及び第２のレール部５５を、第２の側面ＳＵ２及び第３の側面ＳＵ３に垂直な方向からみたときに、第１のレール部５０と交差するように配置されている。このため、第２のレール部５５は、第１のレール部５０の上下に跨がるように配置されている。すなわち、第２のレール部５５は、図４及び図５に示すように、レール部本体５１を境として、レール部本体５１よりも下側に位置する部分と、レール部本体５１よりも上側に位置する部分とを有している。このように、第２のレール部５５は、第１のレール部５０と交差するように配置されていることにより、第１のレール部５０から第２のレール部５５へのスライド部材７０の移動、及び、第２のレール部５５から第１のレール部５０へのスライド部材７０の移動が円滑になる。
【００３３】  仮に、第２のレール部５５が、レール部本体５１を境として、レール部本体５１よりも上側に位置する部分しか有さない態様であるとする。この態様の場合には、第１のレール部５０と第２のレール部５５との間に段差が発生してしまう可能性がある。したがって、スライド部材７０が、第１のレール部５０から第２のレール部５５に移る際、及び、第２のレール部５５から第１のレール部５０に移る際の動作が円滑になされない可能性がある。
【００３４】  また、第２のレール部５５は、第１のレール部５０のレール部本体５１の傾斜よりもきつくなっている。すなわち、第２のレール部５５は、送風機４１を取り付ける方向における奥側に向かうにつれて第１の側面ＳＵ１との対向間隔が小さくなるように傾斜して設けられている。このように、送風機ユニット筐体１００Ａは、第１のレール部５０及び第２のレール部５５を有しており、２段階に分けてスライド部材７０及び送風機４１が移動する構造になっている。スライド部材７０の移動する様子については、図８で詳しく説明する。
【００３５】  送風機ユニット筐体１００Ａは、スライド部材７０が送風機ユニット筐体１００Ａ内に取り付けられている状態において、スライド部材７０が第２のレール部５５の奥側部分と第１の側面ＳＵ１との間に挟まれて嵌まり込むように構成されている。つまり、スライド部材７０の厚みは、スライド部材７０が第２のレール部５５の奥側部分と第１の側面ＳＵ１との間の対向間隔と同程度となっている。  （１）具体的には、図４に示すように、スライド部材７０の奥側部分の下部は、第２のレール部５５の奥側部分（上端）に接触し（図４の点Ｐ１参照）、スライド部材７０の奥側部分の上部は、第１の側面ＳＵ１と接触している。このように、スライド部材７０の奥側は、第２のレール部５５の奥側部分と第１の側面ＳＵ１との間に挟み込まれる。（２）また、図４及び図５に示すように、スライド部材７０の奥側の端面は、第４の側面ＳＵ４と接触している。（３）さらに、スライド部材の手前側部分は、図４に示すように、たとえばネジ、ボルトなどの固定部材７１によって第１の側面ＳＵ１などに締結される。スライド部材７０は、（１）〜（３）で説明したことによって、送風機ユニット筐体１００Ａ内で固定されている。
【００３６】（スライド部材７０）  スライド部材７０は、送風機４１に固定されるものであり、送風機４１から供給される空気が通過する開口部７０Ａが形成された平板状部材である。スライド部材７０は、一方の端部７０Ｂ１が一方の第１のレール部５０上をスライドし、他方の端部７０Ｂ２が他方の第１のレール部５０上をスライドする。スライド部材７０は、一方の面が第１の側面ＳＵ１に対向するように配置され、他方の面が送風機４１に固定されている。スライド部材７０には、手前側の角部に、送風機４１の落下防止用穴Ｑ１が開口形成されるとともに、奥側の角部に、送風機４１の落下防止用穴Ｑ２が開口形成されている（図６（ａ）参照）。また、スライド部材７０は、端部７０Ｂ１及び端部７０Ｂ２が曲げ形成されて切り起こされている。同様に、スライド部材７０は、前側の端部及び後側の端部も曲げ形成されて切り起こされている。スライド部材７０における切り起こされた前側の端部は、第１の側面ＳＵ１に形成された固定部ＳＵ１１に、固定部材７１が挿入されて締結される（後段の図７及び図８（ｅ）参照）。
【００３７】［ツメ部５２について］  図７は、本実施の形態に係る空気調和装置の室内機１の第１のレール部５０に形成されたツメ部５２の説明図である。なお、図７では、パネル１３は取り外した状態を示している。  ツメ部５２は、レール部本体５１のうち手前側の端部に形成されたものである。ツメ部５２は、サービスマンが送風機４１を送風機ユニット１００から着脱しているときに、スライド部材７０及びスライド部材７０が固定されている送風機４１の落下を防止する機能を有している。  固定部材７１を外すと、落下防止用穴Ｑ１に、図７では図示省略したツメ部５２が入り込む。これにより、スライド部材７０が第１のレール部５０上を滑っていって、送風機４１が落下してしまうことを防止することができる。なお、落下防止用穴Ｑ２が形成されているため、スライド部材７０を第１のレール部５０から引き出していき、スライド部材７０が第１のレール部５０から離れる直前に、誤って送風機４１が落下してしまうことも防止することができる。
【００３８】［スライド部材７０の動作について］  図８は、スライド部材７０の動作説明図である。図８（ａ）は、スライド部材７０を第１のレール部５０のレール部本体５１上をスライドさせている様子を示している。図８（ｂ）は、スライド部材７０をレール部本体５１の奥側に移動させていき、第２のレール部５５に当接した様子を示している。図８（ｃ）は、スライド部材７０を第２のレール部５５の奥側に移動させている様子を示している。図８（ｄ）は、スライド部材７０が第２のレール部５５の一番奥まで移動し、スライド部材７０が、第１の側面ＳＵ１と第４の側面ＳＵ４と第２のレール部５５との間に嵌り込んだ様子を示している。図８（ｅ）は、スライド部材７０の手前側部分を、固定部材７１で第１の側面ＳＵ１の固定部ＳＵ１１に締結した様子を示している。なお、図８（ａ）〜図８（ｅ）では、説明の便宜のため、送風機４１については図示を省略している。
【００３９】  送風機４１を送風機ユニット筐体１００Ａに取り付けるときには、サービスマンは、図８（ａ）〜図８（ｅ）の順番にスライド部材７０を動かすことになる。送風機４１を送風機ユニット筐体１００Ａから取り外すときには、この順番の逆である。このように、送風機ユニット１００は、傾斜が異なっている第１のレール部５０及び第２のレール部５５を有し、２段階に分けてスライド部材７０及び送風機４１が移動する構造が設けられているので、サービスマンが送風機４１を送風機ユニット筐体１００Ａに着脱するときの負荷を抑制することができるようになっている。
【００４０】  第２のレール部５５が設けられていない態様であってもよいが、設けられている方が、サービスマンの作業負担の抑制の効果は大きい。仮に、第２のレール部５５が設けられていない態様の場合には、第１のレール部５０の全体の傾斜をきつくする手段を取ることができる。  ここで、サービスマンにかかる作業負担は、第１のレール部５０の手前側にスライド部材７０が位置しているときの方が大きい。第１のレール部の奥側までスライド部材７０を入れているときは、送風機４１の大部分が送風機ユニット筐体１００Ａ内に搬入されており、送風機４１の姿勢が安定している等のためである。  したがって、第１のレール部５０の全体の傾斜をきつくすると、第１のレール部５０の手前側の傾斜もきつくなり、結果としてサービスマンの負担は増大してしまう。  本実施の形態に係る室内機１の送風機ユニット筐体１００Ａは、第１のレール部５０の奥側に、傾斜の大きい第２のレール部５５を設けることで、上述のようなサービスマンの負担の増大を抑制している。
【００４１】［室内熱交換器２１及び送風機４１の位置関係について］  図９は、本実施の形態に係る空気調和装置の室内機１に搭載された室内熱交換器２１及び送風機４１の位置関係についての説明図である。なお、図９は、図１０（ｄ）に対応している。図１０は、室内熱交換器２１及び送風機４１の位置関係についての４つのパターンの説明図である。図１０（ａ）及び図１０（ｂ）は熱交換効率が悪い条件の位置関係を示しており、図１０（ｃ）及び図１０（ｄ）は熱交換効率が良い条件の位置関係を示している。
【００４２】  図１０（ａ）〜図１０（ｄ）では、第１の熱交換器２１ａと第２の熱交換器２１ｂの接触部分Ｔが送風機４１とは反対側にくるように配置されている。
【００４３】  室内熱交換器２１及び送風機４１の位置関係によって熱交換効率が変わってくる。図１０（ａ）に示すように、室内熱交換器２１及び送風機４１は、送風機４１の空気の吹き出し方向が、第１の熱交換器２１ａに沿うように配置されると熱交換効率が低減する。送風機４１から吹き出される空気の大部分は、第１の熱交換器２１ａを通過するが、第２の熱交換器２１ｂをあまり通過しないため、室内熱交換器２１の全体の熱交換効率としては低減してしまう。  図１０（ｂ）は、図１０（ａ）の送風機４１の配置を左右対称とした態様である。この態様では、送風機４１から吹き出される空気の大部分は、第２の熱交換器２１ｂを通過するが、第２の熱交換器２１ｂをあまり通過しないため、室内熱交換器２１の全体の熱交換効率としては低減してしまう。
【００４４】  図１０（ｃ）及び図１０（ｄ）の態様では、図１０（ａ）及び図１０（ｂ）の室内熱交換器２１を９０度回転させている。図１０（ｃ）及び図１０（ｄ）では、送風機４１から吹き出された空気が、第１の熱交換器２１ａと第２の熱交換器２１ｂの間の空間Ｌ（図１０（ａ）及び図１０（ｂ）参照）に流入することになり、第１の熱交換器２１ａ及び第２の熱交換器２１ｂの両方に均一に空気が流入するため、熱交換効率が低減してしまうことを抑制できる。
【００４５】  なお、図示は省略しているが、図１０（ｃ）及び図１０（ｄ）において、接触部分Ｔの位置が送風機４１側にくるようにしても、第１の熱交換器２１ａ及び第２の熱交換器２１ｂの両方に均一に空気が流入するため、熱交換効率が低減してしまうことを抑制できる。
【００４６】［本実施の形態に係る室内機１の有する効果］  実施の形態に係る空気調和装置の室内機１は、第１のレール部５０及びスライド部材７０を備えている。このため、サービスマンは、スライド部材７０を、第１のレール部５０上でスライドさせて送風機４１を着脱することができる。このため、空気の吹き出し方向を変更する際の作業負担が増大してしまうことを抑制することができる。
【００４７】  なお、本実施の形態では、第１のレール部５０と第２のレール部５５とが、別体で構成されている態様について説明したが、それに限定されるものではない。たとえば、レール部本体５１の奥側の端部に、第２のレール部５５に対応する傾きを有するくさび状の部材を形成してもよい。この態様であっても、本実施の形態と同様の効果を得ることができる。
【００４８】  本実施の形態では、レール部本体５１が直線状である態様について一例に説明したが、それに限定されるものではなく、波状に形成されていてもよいし、湾曲形状となっていてもよい。この態様であっても、本実施の形態と同様の効果を得ることができる。
【００４９】  本実施の形態では、第２のレール部５５が平板状である態様について一例に説明したが、それに限定されるものではなく、波状に形成されていてもよいし、湾曲形状となっていてもよい。また、第２のレール部５５は、パネル１３の内側面側から第４の側面ＳＵ４側にかけて連続的に延びるように設けられている態様について説明したが、これに限定されるものではなく、切り欠きが形成されて断続的なものであってもよい。この態様であっても、本実施の形態と同様の効果を得ることができる。
【００５０】［変形例１］  図１１は、変形例１に係る空気調和装置の室内機１の斜視図である。図１２は、図１１に示す室内機１の縦断面図である。実施の形態では、室内機１が上側吹き出しである態様について説明したが、本変形例１では、室内機１が横吹き出し（紙面左側から右側）となるように設置された場合について示している。本変形例１において、室内熱交換器２１の下側にドレンパン３２が配置されている。具体的には、ドレンパン３２は、パネル１７上に配置されている。本変形例１に係る空気調和装置の室内機１も、実施の形態に係る空気調和装置の室内機１と同様の効果を有する。
【００５１】［変形例２］  図１３は、変形例２に係る空気調和装置の室内機１の斜視図である。図１４は、図１３に示す室内機１の縦断面図である。本変形例２では、室内機１が横吹き出し（紙面右側から左側）となるように設置された場合について示している。また、本変形例２に係る空気調和装置の室内機１において、室内熱交換器２１は、第１の熱交換器２１ａと第２の熱交換器２１ｂの接触部分Ｔが吹出口６２側（送風機４１とは反対側）にくるように配置されている。本変形例２において、室内熱交換器２１の下側にドレンパン３２が配置されている。具体的には、ドレンパン３２は、パネル１６上に配置されている。さらに、本変形例２では、変形例１に示す送風機４１の設置方向を１８０度回転させている。つまり、本変形例２では、室内熱交換器２１の設置方向を１８０度回転させ、ドレンパン３２の配置をパネル１７からパネル１６に組換え、送風機４１の設置方向を１８０度回転させている点で、変形例１とは異なっている。本変形例２に係る空気調和装置の室内機１も、実施の形態２に係る空気調和装置の室内機１と同様の効果を有する。
【００５２】［変形例３］  図１５は、変形例３に係る空気調和装置の室内機１の斜視図である。図１６は、図１５に示す室内機１の縦断面図である。図１７は、図１６に示す室内機１のＢ−Ｂ断面の矢視図である。本変形例３では、室内機１が下吹き出しとなるように設置された場合について示している。本変形例３に係る空気調和装置の室内機１において、室内熱交換器２１は、変形例１と同様に、第１の熱交換器２１ａと第２の熱交換器２１ｂの接触部分Ｔが送風機４１側にくるように配置されている。
【００５３】  本変形例３において、室内熱交換器２１の下側にドレンパン３１が配置されている。ドレンパン３１は、たとえば、熱交換器ユニット筐体２００Ａのうちの吹出口６２側に配置されている。
【００５４】  さらに、本変形例３では、送風機ユニット１００にフィルター１２０が取り付けられている。室内機１が下吹き出しの場合には、空気中の塵埃などが室内機１内に入りやすいので、このフィルター１２０を取り付けるとよい。本変形例３に係る空気調和装置の室内機１も、実施の形態２に係る空気調和装置の室内機１と同様の効果を有する。
【符号の説明】
【００５５】  １  室内機、１１  パネル、１２  パネル、１３  パネル、１４  パネル、１６  パネル、１７  パネル、２１  室内熱交換器、２１ａ  第１の熱交換器、２１ｂ  第２の熱交換器、３１  ドレンパン、３２  ドレンパン、４１Ａ  ファン、４２  送風機、４１Ｂ  電動機、４１Ｃ  ケーシング、４１Ｃ１  空気流入部、４１Ｃ２  空気流出部、５０  第１のレール部、５１  レール部本体、５２  ツメ部、５５  第２のレール部、６０  開口部、６１  吸込口、６２  吹出口、７０  スライド部材、７０Ａ  開口部、７０Ｂ１  端部、７０Ｂ２  端部、７１  固定部材、８０  電気品箱、８１  制御装置、１００  送風機ユニット、１００Ａ  送風機ユニット筐体、１２０  フィルター、２００  熱交換器ユニット、２００Ａ  熱交換器ユニット筐体、Ｄ１  矢印、Ｄ２  矢印、Ｄ３  矢印、Ｌ  空間、ＳＵ１  第１の側面、ＳＵ１１  固定部、ＳＵ２  第２の側面、ＳＵ３  第３の側面、ＳＵ４  第４の側面、Ｔ  接触部分、Ｑ１  落下防止用穴、Ｑ２  落下防止用穴。
【図１】
2016075817.tif 000003
【図２】
2016075817.tif 000004
【図３】
2016075817.tif 000005
【図４】
2016075817.tif 000006
【図５】
2016075817.tif 000007
【図６】
2016075817.tif 000008
【図７】
2016075817.tif 000009
【図８】
2016075817.tif 000010
【図９】
2016075817.tif 000011
【図１０】
2016075817.tif 000012
【図１１】
2016075817.tif 000013
【図１２】
2016075817.tif 000014
【図１３】
2016075817.tif 000015
【図１４】
2016075817.tif 000016
【図１５】
2016075817.tif 000017
【図１６】
2016075817.tif 000018
【図１７】
2016075817.tif 000019
【手続補正書】
【提出日】平成28年12月7日(2016.12.7)
【手続補正１】
【補正対象書類名】明細書
【補正対象項目名】０００８
【補正方法】変更
【補正の内容】
【０００８】
本発明に係る空気調和装置の室内機は、送風機が収納され、吸込口が形成された送風機ユニット筐体を有する送風機ユニットと、室内熱交換器が収容され、吹出口が形成され、送風機ユニット筐体に連結される熱交換器ユニット筐体を有する熱交換器ユニットと、を備え、送風機は、回転するファンと、ファンを駆動する電動機と、空気を内部に取り込む空気流入部及び空気を吹き出す空気流出部が形成され、ファン及び電動機が搭載されているケーシングとを有し、送風機ユニット筐体には、熱交換器ユニット筐体との連結位置に、熱交換器ユニット筐体に連通する開口部が形成され、開口部が形成された第１の側面に直交する第２の側面及び第３の側面にそれぞれ設けられた第１のレール部と、第１の側面、第２の側面及び第３の側面に直交し、送風機の着脱方向における奥側に位置する第４の面に設けられた第２のレール部と、送風機のケーシングの空気流出部に固定され、第１のレール部上を移動自在に設けられたスライド部材とが設けられ、第２のレール部は、奥側に向かうにつれて第１の側面との対向間隔が小さくなるように傾斜しているものである。
【手続補正２】
【補正対象書類名】特許請求の範囲
【補正対象項目名】全文
【補正方法】変更
【補正の内容】
【特許請求の範囲】
【請求項１】
送風機が収納され、吸込口が形成された送風機ユニット筐体を有する送風機ユニットと、
室内熱交換器が収容され、吹出口が形成され、前記送風機ユニット筐体に連結される熱交換器ユニット筐体を有する熱交換器ユニットと、
を備え、
前記送風機は、
回転するファンと、
前記ファンを駆動する電動機と、
空気を内部に取り込む空気流入部及び空気を吹き出す空気流出部が形成され、前記ファン及び前記電動機が搭載されているケーシングとを有し、
前記送風機ユニット筐体には、
前記熱交換器ユニット筐体との連結位置に、前記熱交換器ユニット筐体に連通する開口部が形成され、
前記開口部が形成された第１の側面に直交する第２の側面及び第３の側面にそれぞれ設けられた第１のレール部と、
前記第１の側面、前記第２の側面及び前記第３の側面に直交し、前記送風機の着脱方向における奥側に位置する第４の面に設けられた第２のレール部と、
前記送風機の前記ケーシングの前記空気流出部に固定され、前記第１のレール部上を移動自在に設けられたスライド部材とが設けられ、
前記第２のレール部は、
奥側に向かうにつれて前記第１の側面との対向間隔が小さくなるように傾斜している
空気調和装置の室内機。
【請求項２】
前記第１のレール部は、
奥側に向かうにつれて前記第１の側面との対向間隔が小さくなるように傾斜して設けられている
請求項１に記載の空気調和装置の室内機。
【請求項３】
前記第２のレール部は、
前記第１のレール部の傾斜よりも大きくなるように、奥側に向かうにつれて前記第１の側面との対向間隔が小さくなるように傾斜している
請求項２に記載の空気調和装置の室内機。
【請求項４】
前記送風機ユニット筐体は、
前記スライド部材が前記送風機ユニット筐体内に取り付けられている状態において、
前記スライド部材が前記第２のレール部の奥側部分と前記第１の側面との間に挟まれて嵌まり込むように構成されている
請求項１〜３のいずれか一項に記載の空気調和装置の室内機。
【請求項５】
前記第２のレール部は、
前記第１のレール部及び前記第２のレール部を、前記第２の側面及び前記第３の側面に垂直な方向から見たときに、
前記第１のレール部と交差するように配置されている
請求項１〜４のいずれか一項に記載の空気調和装置の室内機。
【請求項６】
前記第２のレール部は、
一方の前記第１のレール部側から他方の前記第１のレール部側に延びるように設けられている
請求項１〜５のいずれか一項に記載の空気調和装置の室内機。
【請求項７】
前記第１のレール部は、
手前側の端部に、前記スライド部材の落下防止用のツメ部が設けられている
請求項１〜６のいずれか一項に記載の空気調和装置の室内機。
【請求項８】
前記室内熱交換器は、
第１の熱交換器及び第２の熱交換器から構成され、
前記第１の熱交換器及び前記第２の熱交換器は、
一方側の端部が寄せられ、他方側の端部を離されて配置されている
請求項１〜７のいずれか一項に記載の空気調和装置の室内機。
【請求項９】
前記スライド部材の奥側部分は、
前記送風機ユニット筐体内に取り付けられている状態において、前記第２のレール部の奥側部分と前記第１の側面との間に嵌まり、
前記スライド部材の手前側部分は、
前記送風機ユニット筐体内に取り付けられている状態において、前記第１の側面に固定されている
請求項１〜８のいずれか一項に記載の空気調和装置の室内機。
【請求項１０】
前記第１の側面には、
固定部が設けられ
前記スライド部材の手前側部分は、
前記送風機ユニット筐体内に取り付けられている状態において、
前記スライド部材の手前側部分から奥側部分に向かう方向に平行に設けられた固定部材が前記固定部に固定されることで、前記第１の側面に固定されている
請求項９に記載の空気調和装置の室内機。
【請求項１１】
前記スライド部材の厚みは、前記第２のレール部の奥側部分と前記第１の側面との間の対向間隔と同程度に構成されている
請求項４に記載の空気調和装置の室内機。
【請求項１２】
前記スライド部材の角部には、前記ツメ部が入り込むように構成された落下防止用穴が形成されている
請求項７に記載の空気調和装置の室内機。
【請求項１３】
前記落下防止用穴は、
前記スライド部材の手前側の角部に形成され、前記ツメ部が入り込むように構成された第１の落下防止用穴を含む
請求項１２に記載の空気調和装置の室内機。
【請求項１４】
前記落下防止用穴は、
前記スライド部材の奥側の角部に形成され、前記ツメ部が入り込むように構成された第２の落下防止用穴を含む
請求項１２又は１３に記載の空気調和装置の室内機。
【国際調査報告】
2016075817.tif 000020
2016075817.tif 000021
2016075817.tif 000022
2016075817.tif 000023